(57)【特許請求の範囲】
【請求項１】
バスバーが埋設されるカバー部材及び前記バスバーと接続される電子基板を有する回転角度検出装置を備えるスロットル装置であって、
前記電子基板は、前記バスバーとはんだ付けされるバスバー接続部と、前記バスバー接続部から近い位置に設けられる位置決め開口と、前記バスバー接続部から遠い位置に設けられる逃げ側開口とが形成され、
前記カバー部材は、
前記位置決め開口に挿入される位置決め突起部と、
前記逃げ側開口に挿入されると共に、前記位置決め突起部が前記位置決め開口の内壁面に当接するとき、前記逃げ側開口の内壁面との間に間隙が形成される位置に設けられる逃げ側突起部と
を有することを特徴とするスロットル装置。
【請求項２】
前記回転角度検出装置は、スロットル弁の回転角度を検出するインダクタンス式回転角度センサであり、
前記電子基板は、センサ固定子を有する
ことを特徴とする請求項１記載のスロットル装置。
【請求項３】
前記位置決め突起部は、複数形成されていることを特徴とする請求項１または２記載のスロットル装置。
【請求項４】
前記電子基板は、矩形形状とされ、
前記バスバー接続部は、２つの前記位置決め開口の間であって前記電子基板の一方の短辺に沿って設けられ、
前記逃げ側開口は、前記電子基板の他方の短辺側に沿って形成される
ことを特徴とする請求項３記載のスロットル装置。
【請求項５】
バスバーが埋設されるカバー部材及び前記バスバーと接続される電子基板を有する回転角度検出装置を備えるスロットル装置の製造方法であって、
前記電子基板には、前記バスバーに対してはんだ付けされるバスバー接続部と、前記バスバー接続部から近い位置に設けられる位置決め開口と、前記バスバー接続部から遠い位置に設けられる逃げ側開口とが形成され、
前記カバー部材は、位置決め突起部及び逃げ側突起部を有し、
前記位置決め突起部は、前記位置決め開口の内壁面に当接して挿入された状態で熱カシメにより固定され、
前記逃げ側突起部は、前記逃げ側開口の内壁面との間に間隙を形成して挿入された状態で熱カシメにより固定される
ことを特徴とするスロットル装置の製造方法。
【発明の詳細な説明】
【技術分野】
【０００１】
本発明は、スロットル装置及びスロットル装置の製造方法に関するものである。
【背景技術】
【０００２】
スロットル弁を有するスロットル装置には、スロットル弁の姿勢を検出する回転角度検出装置が設けられている。この回転角度検出装置が有する電子基板は、カバー部材に固定されている。回転角度検出装置のカバー部材には、外部接続端子と接続されるバスバーが埋設されている。さらに、このバスバーは、電子基板のバスバー接続部とはんだ付けによって接続される。例えば、特許文献１には、電子基板がカバー部材とリベットにより固定されたインダクタンス式回転角度センサが開示されている。
【先行技術文献】
【特許文献】
【０００３】
【特許文献１】米国特許第７２７５５５７号明細書
【発明の概要】
【発明が解決しようとする課題】
【０００４】
電子基板とカバー部材とを固定する方法としては、カバー部材が備える突起部を電子基板の開口に差し込み、突起部の先端を熱により塑性変形させる熱カシメが考えられる。しかしながら、カバー部材と電子基板とでは、熱による膨張率が異なるため、カバー部材に熱が加えられた際には、電子基板とカバー部材との膨張量が異なる。したがって、カバー部材と電子基板との相対位置は、膨張によって、当初の位置から変位する。これにより、バスバーとバスバー接続部との位置がずれることで、バスバー接続部に対して過剰な応力が発生する可能性がある。これに対して、バスバーとバスバー接続部との間をワイヤーボンディングやキンク加工を行って接続することにより、バスバー接続部における応力を緩和させることがある。しかしながら、ワイヤーボンディングやキンク加工は、作業が複雑であり、工数の増加の原因となる。
【０００５】
本発明は、上述する問題点に鑑みてなされたもので、スロットル装置の回転角度検出装置において、バスバー接続部における応力の発生をより簡易な方法で抑止することを目的とする。
【課題を解決するための手段】
【０００６】
上記目的を達成するために、本発明では、スロットル装置に係る第１の手段として、バスバーが埋設されるカバー部材及び上記バスバーと接続される電子基板を有する回転角度検出装置を備えるスロットル装置であって、上記電子基板は、上記バスバーとはんだ付けされるバスバー接続部と、上記バスバー接続部から近い位置に設けられる位置決め開口と、上記バスバー接続部から遠い位置に設けられる逃げ側開口とが形成され、上記カバー部材は、上記位置決め開口に挿入される位置決め突起部と、上記逃げ側開口に挿入されると共に上記位置決め突起部が上記位置決め開口の内壁に当接するとき上記逃げ側開口の内壁面との間に間隙が形成される位置に設けられる逃げ側突起部とを有する、という構成を採用する。
【０００７】
スロットル装置に係る第２の手段として、上記第１の手段において、上記回転角度検出装置は、スロットル弁の回転角度を検出するインダクタンス式回転角度センサであり、上記電子基板は、センサ固定子を有する、という構成を採用する。
【０００８】
スロットル装置に係る第３の手段として、上記第１または第２の手段において、上記位置決め突起部は、複数形成されている、という構成を採用する。
【０００９】
スロットル装置に係る第４の手段として、上記第３の手段において、上記電子基板は、矩形形状とされ、上記バスバー接続部は、２つの上記位置決め開口の間であって上記電子基板の一方の短辺に沿って設けられ、上記逃げ側開口は、上記電子基板の他方の短辺側に沿って形成される、という構成を採用する。
【００１０】
スロットル装置の製造方法に係る第１の手段として、バスバーが埋設されるカバー部材及び上記バスバーと接続される電子基板を有する回転角度検出装置を備えるスロットル装置の製造方法であって、上記電子基板は、上記バスバーに対してはんだ付けされるバスバー接続部と、上記バスバー接続部から近い位置に設けられる位置決め開口と、上記バスバー接続部から遠い位置に設けられる逃げ側開口とが形成され、上記カバー部材は、位置決め突起部及び逃げ側突起部を有し、上記位置決め突起部は、上記位置決め開口の内壁面に当接して挿入された状態で熱カシメにより固定され、上記逃げ側突起部は、上記逃げ側開口の内壁面との間に間隙を形成して挿入された状態で熱カシメにより固定されるという構成を採用する。
【発明の効果】
【００１１】
本発明によれば、位置決め開口とバスバー接続部との距離が近く設定されている。また、位置決め突起部が位置決め開口の内壁に当接した状態において、逃げ側突起部は、逃げ側開口の内壁との間に間隙が形成された状態となる。すなわち、逃げ側突起部は、逃げ側開口の内部において移動可能である。これにより、カバー部材は、熱を加えられた際に、位置決め突起部の位置決め開口に当接している部位を中心として膨張することができ、バスバー接続部とバスバーとの位置の変位を抑制することができる。したがって、カバー部材が膨張した際に、バスバー接続部における応力の発生をより簡易な方法で抑止することができる。
【図面の簡単な説明】
【００１２】
【図１】本発明の一実施形態に係るスロットル装置の断面図である。
【図２】本発明の一実施形態における電子基板及びカバー部材を示す分解上面図である。
【図３】本発明の一実施形態に係るスロットル装置の電子基板及びカバー部材の一部を含む拡大図である。
【図４】本発明の一実施形態に係るスロットル装置の変形例における位置決め突起部及び電子基板の一部を含む拡大図である。
【発明を実施するための形態】
【００１３】
以下、図面を参照して、本発明に係るスロットル装置の一実施形態について説明する。お、以下の図面において、各部材を認識可能な大きさとするために、各部材の縮尺を適宜変更している。図１は、本実施形態に係るスロットル装置１の断面図である。
【００１４】
本実施形態に係るスロットル装置１は、自動車等の吸気マニホールドに対して取り付けられており、エンジンに供給される空気量を調整する機構である。このスロットル装置１は、図１に示すように、ボディ２、弁軸３、スロットル弁４、モータ５、ギア機構６及び回転角度検出装置７を備えている。ボディ２は、吸気通路２ａが形成され、弁軸３、スロットル弁４、モータ５を収容している。吸気通路２ａは、略円柱形の空洞であり、吸気マニホールドに連通している。この吸気通路２ａは、内部に空気が流通している。
【００１５】
弁軸３は、図１に示すように、吸気通路２ａを横断するように設けられた略円柱状の細長部材であり、軸受により回転可能に支持されている。さらに、弁軸３は、ギア機構６に接続されている。このような弁軸３は、スロットル弁４を支持する部材である。
【００１６】
スロットル弁４は、中心を通る位置で弁軸３に固定された円形の平板状の部材である。このようなスロットル弁４は、弁軸３を回転軸として回転されることにより、吸気通路２ａの吸気量を変化させるバタフライ型のスロットル弁である。
【００１７】
モータ５は、ＥＣＵ（Engine Control Unit）と接続されており、スロットル弁４を回転駆動させる装置である。このモータ５が有する回転軸５ａは、ギア機構６と接続されている。ギア機構６は、複数のギアにより構成された機構である。このギア機構６は、これらの複数のギアが連動し、接続部材３ｂを介してモータ５の回転軸５ａの回転運動を弁軸３へと伝達している。
【００１８】
回転角度検出装置７は、ボディ２に対して固定され、弁軸３の回転角度を検出する装置である。この回転角度検出装置７は、センサ回転子７ａ、電子基板７ｂ及びカバー部材７ｃを有している。センサ回転子７ａは、弁軸３の端部に固定された磁石であり、弁軸３の回転に伴って、弁軸３を回転軸として回転する。
【００１９】
図２は、本実施形態における電子基板７ｂ及びカバー部材７ｃを示す分解上面図である。また、図３は、本実施形態に係るスロットル装置１の電子基板７ｂ及びカバー部材７ｃの一部を含む拡大図である。電子基板７ｂは、図２に示すように、矩形形状をしており、カバー部材７ｃに配置されている。この電子基板７ｂは、センサ固定子７ｂ１と、バスバー接続部７ｂ２とを有し、位置決め開口７ｂ３及び逃げ側開口７ｂ４が形成されている。
【００２０】
このセンサ固定子７ｂ１は、電子基板７ｂに設けられ、非接触状態でセンサ回転子７ａの磁力を検出するセンサである。バスバー接続部７ｂ２は、電子基板７ｂの一方の短辺の縁部に沿って形成されたスルーホールである。このバスバー接続部７ｂ２には、カバー部材７ｃに埋設された不図示のバスバーの端子が挿入され、はんだ付けされている。
【００２１】
位置決め開口７ｂ３は、電子基板７ｂの角部であって、バスバー接続部７ｂ２を挟んで両側に形成されている。すなわち、位置決め開口７ｂ３は、逃げ側開口７ｂ４よりもバスバー接続部７ｂ２から近い位置に形成されている。逃げ側開口７ｂ４は、バスバー接続部７ｂ２が形成された側の短辺と対向する短辺に沿って角部に形成されている。すなわち、逃げ側開口７ｂ４は、位置決め開口７ｂ３よりもバスバー接続部７ｂ２から遠い位置に形成されている。また、この逃げ側開口７ｂ４の径は、位置決め開口７ｂ３と等しく設定されている。
【００２２】
カバー部材７ｃは、樹脂製の電子基板７ｂが配設される凹部を有する部材であり、図１に示すように、ボディ２に対して固定されている。このカバー部材７ｃは、図２に示すように、平面視において縦方向に長い縦長形状とされている。さらに、カバー部材７ｃは、２か所の位置決め突起部７ｃ１と、２か所の逃げ側突起部７ｃ２と、ボディ固定孔７ｃ３とがそれぞれ形成されている。また、カバー部材７ｃには、バスバー接続部７ｂ２とはんだ付けされ、ＥＣＵ等の外部接続端子と接続された不図示のバスバーが埋設されている。
【００２３】
２か所の位置決め突起部７ｃ１は、カバー部材７ｃに形成された凹部の底面から垂直に突出した円柱状の突起であり、電子基板７ｂの位置決め開口７ｂ３に、位置決め開口７ｂ３の内壁面に対して一部が当接した状態でそれぞれ挿入される。なお、位置決め突起部７ｃ１は、図３に示すように、位置決め開口７ｂ３に対して径が小さく形状設定されており、位置決め開口７ｂ３の内壁面に対して一部に間隙が形成された状態である。この位置決め突起部７ｃ１は、位置決め開口７ｂ３に挿入された状態で、熱により塑性変形される。
【００２４】
逃げ側突起部７ｃ２は、カバー部材７ｃに形成された凹部の底面から垂直に突出した円柱状の突起であり、逃げ側開口７ｂ４にそれぞれ挿入される。また、逃げ側突起部７ｃ２は、図３に示すように、逃げ側開口７ｂ４に対して挿入されている部位の径が、逃げ側開口７ｂ４の径よりも小さく形状設定されている。このような逃げ側突起部７ｃ２は、図３に示すように、位置決め突起部７ｃ１の側面の一部が位置決め開口７ｂ３の内壁面に対して当接した状態のときに、逃げ側開口７ｂ４の内壁面との間に間隙が形成された状態となる位置に設けられている。この逃げ側突起部７ｃ２は、逃げ側開口７ｂ４に挿入された状態で、熱により塑性変形される。
【００２５】
本実施形態において熱カシメとは、電子基板７ｂから突出した位置決め突起部７ｃ１及び逃げ側突起部７ｃ２の端部を加熱し、さらに加圧することにより、塑性変形させる工程を示している。位置決め突起部７ｃ１及び逃げ側突起部７ｃ２の端部は、この熱カシメを行うことにより、位置決め開口７ｂ３及び逃げ側開口７ｂ４の径よりも大きくなる。このため、電子基板７ｂは、位置決め突起部７ｃ１及び逃げ側突起部７ｃ２の突出方向への移動を規制される。
【００２６】
ボディ固定孔７ｃ３は、カバー部材７ｃの縁部に沿って６カ所に形成されているネジ孔である。カバー部材７ｃは、このボディ固定孔７ｃ３に挿入されたネジにより、センサ回転子７ａと、センサ固定子７ｂ１とが対向する位置においてボディ２に固定されている。
【００２７】
このような回転角度検出装置７は、弁軸３に伴って回転するセンサ回転子７ａの磁力の変位を、非接触でセンサ固定子７ｂ１が検出し、ＥＣＵ等に入力するインダクタンス式回転角度センサである。
【００２８】
このような本実施形態に係るスロットル装置１の回転角度検出装置７の製造方法を説明する。なお、以下の説明においては、カバー部材７ｃと電子基板７ｂとの組立方法について説明する。
【００２９】
まず、カバー部材７ｃの位置決め突起部７ｃ１及び逃げ側突起部７ｃ２が、位置決め開口７ｂ３及び逃げ側開口７ｂ４にそれぞれ挿入されるように、カバー部材７ｃに対して電子基板７ｂが取り付けられる。電子基板７ｂは、２か所の位置決め突起部７ｃ１が、それぞれ対応する位置決め開口７ｂ３の内壁面に対して、当接した状態とされる。このとき、逃げ側突起部７ｃ２は、逃げ側開口７ｂ４の内壁面に対して当接せず、間隙が形成された状態となる。さらに、バスバー接続部７ｂ２には、カバー部材７ｃのバスバーの端子が挿入され、はんだ付けが行われる。
【００３０】
次に、位置決め突起部７ｃ１は、電子基板７ｂから突出した端部を、加熱されつつ加圧され、塑性変形される。これにより、電子基板７ｂの位置決め開口７ｂ３の周囲は、カバー部材７ｃの表面と、塑性変形された位置決め突起部７ｃ１の端部とに挟持された状態となる。
【００３１】
続いて、逃げ側突起部７ｃ２は、電子基板７ｂの表面から突出した端部を熱カシメにより、位置決め突起部７ｃ１と同様に塑性変形される。これにより、電子基板７ｂの逃げ側開口７ｂ４の周囲は、カバー部材７ｃの表面と、逃げ側突起部７ｃ２の塑性変形された端部とにより、挟持された状態となる。位置決め突起部７ｃ１の端部及び逃げ側突起部７ｃ２の端部に熱カシメが施されることにより、電子基板７ｂは、位置決め突起部７ｃ１及び逃げ側突起部７ｃ２の突出方向に向けて移動することがない。
【００３２】
次に、弁軸３の接続部材３ｂに、センサ回転子７ａが取り付けられる。さらに、電子基板７ｂが固定されたカバー部材７ｃは、センサ回転子７ａとセンサ固定子７ｂ１とが対向するように位置合わせされ、ボディ２に対してネジにより固定される。
【００３３】
このような本実施形態に係るスロットル装置１によれば、位置決め突起部７ｃ１が位置決め開口７ｂ３の内壁面に当接した状態のとき、逃げ側突起部７ｃ２は、逃げ側開口７ｂ４の内壁面との間に間隙が形成された状態である。これにより、逃げ側突起部７ｃ２は、逃げ側開口７ｂ４の内側において、該逃げ側突起部７ｃ２の突出方向に垂直な方向において移動可能である。自動車等のエンジンから発生する熱が伝わることによって、カバー部材が膨張した場合であっても、カバー部材７ｃは、位置決め開口７ｂ３に当接した部位は変位することがなく、該部位を中心として膨張することとなる。これにより、バスバー接続部７ｂ２の周囲におけるカバー部材７ｃの膨張量は小さくなり、バスバーとバスバー接続部７ｂ２との位置の変位が小さくなる。したがって、バスバー接続部７ｂ２における応力の発生をより簡易な方法で抑止することができる。
【００３４】
また、本実施形態に係るスロットル装置１によれば、位置決め開口７ｂ３は、バスバー接続部７ｂ２を挟んで２か所に形成されている。これにより、カバー部材７ｃに熱を加えられた際に、２か所の位置決め突起部７ｃ１は、膨張により移動することがない。したがって、バスバーとバスバー接続部７ｂ２との位置の変位がより小さくなり、これによっても、バスバー接続部７ｂ２における応力の発生をより抑止することができる。
【００３５】
また、カバー部材７ｃは、図２における縦方向に長い部材であるため、長手方向における膨張量が大きい。これに対して、２か所の位置決め開口７ｂ３が電子基板７ｂの一方の短辺に沿って形成されており、２か所の逃げ側開口７ｂ４が該短辺と対向する短辺に沿って形成されている。このため、逃げ側突起部７ｃ２が逃げ側開口７ｂ４内で移動することができ、カバー部材７ｃの長手方向における膨張により、電子基板７ｂ及びバスバー接続部７ｂ２に応力が発生することを効果的に抑止することができる。
【００３６】
なお、本発明は上記実施形態に限定されるものではなく、例えば以下のような変形例が考えられる。
（１）図４は、上記実施形態に係るスロットル装置１の変形例における位置決め突起部７ｃ１及び電子基板７ｂの一部を含む拡大図である。図４に示すように、位置決め突起部７ｃ１は、周面から径方向に突出する複数のリブ７ｃ４を有するものとしてもよい。この場合、位置決め突起部７ｃ１は、位置決め開口７ｂ３の内壁面に２か所のリブ７ｃ４が当接した状態で、熱加工が行われる。これにより、位置決め突起部７ｃ１の周囲は、カバー部材７ｃの短手方向への膨張を抑制することができる。したがって、バスバー接続部７ｂ２における応力の発生をさらに抑止することができる。また、位置決め突起部７ｃ１は、リブ７ｃ４を周面に設けることにより剪断方向における強度を確保することができる。
【００３７】
（２）また、上記実施形態において、位置決め突起部７ｃ１は、円柱形状とされたが、本発明はこれに限定されない。位置決め突起部７ｃ１は、カバー部材７ｃの凹部の底面に垂直な方向から見て、Ｙ字形状、または十字形状の突起としてもよい。
【００３８】
（３）また、上記実施形態において、位置決め開口７ｂ３及び逃げ側開口７ｂ４は、それぞれ２か所ずつ設けられるものとしたが、本発明はこれに限定されない。位置決め開口７ｂ３は、１か所のみ形成されるものとしてもよい。また、逃げ側開口７ｂ４は、３か所以上形成されるものとしてもよい。
【符号の説明】
【００３９】
１……スロットル装置、７……回転角度検出装置、７ｂ……電子基板、７ｂ１……センサ固定子、７ｂ２……バスバー接続部、７ｂ３……位置決め開口、７ｂ４……逃げ側開口、７ｃ……カバー部材、７ｃ１……位置決め突起部、７ｃ２……逃げ側突起部
【図１】
0006670657.tif 000002
【図２】
0006670657.tif 000003
【図３】
0006670657.tif 000004
【図４】
0006670657.tif 000005